(57)【要約】【課題】接続トレイの位置決め操作を確実に行うことができる携帯端末用接続トレイ装置を提供する。【解決手段】ＣＤプレーヤ２は、本体ケース３に、接続トレイ７が、格納位置、第１引出し位置、第２引出し位置へ移動可能に取り付けられている。接続トレイ７は、上トレイ７ａ、下トレイ７ｂを備える。上トレイ７ａには、第１コネクタ２１、第２コネクタ２２、ストッパ４３が設けられる。下トレイ７ｂには、ロック解除ボタン５１、移動板５２、ロック板５３が設けられる。ロックブラケット３５には、接続トレイ７を格納位置から前方に移動したときに、ロックボス５３ｆが挿入され、接続トレイ７を第１引出し位置でロックするロック凹部３５ｆが形成されている。ロックブラケット３５の前面には、ロックボス５３ｆを受け止めて、接続トレイ７を第２引出し位置でロックするロック凸部３５ｇが形成されている。【選択図】図２
2015069682.tif 000002
【特許請求の範囲】
【請求項１】
本体ケースに格納された格納位置から、前記本体ケースから引き出された第１引出し位置を経由して第２引出し位置への移動と、その逆方向への移動とが可能な接続トレイと、
前記接続トレイに取り付けられており、前記第１引出し位置で第１タイプの携帯端末が接続可能な第１コネクタと、
前記接続トレイに取り付けられており、前記第２引出し位置で、前記第１タイプの携帯端末とは接続方式が異なる第２タイプの携帯端末が接続可能な第２コネクタと、
前記第１及び第２引出し位置において、前記接続トレイをロックしてその移動を阻止するロック機構と、
前記ロック機構のロックを解除して、前記接続トレイの移動を可能にするロック解除機構と、
を備えることを特徴とする携帯端末用接続トレイ装置。
【請求項２】
前記ロック機構は、
ロックボスを有し、前記接続トレイに変位可能に取り付けられたロック板と、
前記接続トレイが前記格納位置から前記第２引出し位置に移動するときに、前記ロックボスに当接して前記ロック板を変位させるロックブラケットと、
前記ロックブラケットに形成され、前記接続トレイが前記第１引出し位置まで移動したときに、前記ロックボスが挿入され、前記接続トレイを前記第１引出し位置でロックするロック凹部と、
前記ロックブラケットに形成され、前記接続トレイが前記第２引出し位置まで移動したときに、前記ロックボスを受け止めて、前記接続トレイを前記第２引出し位置でロックするロック凸部と、
を備えることを特徴とする請求項１に記載の携帯端末用接続トレイ装置。
【請求項３】
前記ロック解除機構は、
前記接続トレイに設けられたロック解除ボタンと、
前記ロック解除ボタンに連結され、前記ロック解除ボタンの操作に連動して移動し、移動により前記ロック板を変位させて、前記ロック機構のロックを解除する移動板と、
を備えることを特徴とする請求項２に記載の携帯端末用接続トレイ装置。
【請求項４】
前記格納位置において、前記接続トレイのロック及びロック解除をする格納ロック機構を備えることを特徴とする請求項３に記載の携帯端末用接続トレイ装置。
【請求項５】
前記接続トレイに設けられ、前記第１コネクタの背後に起立する起立位置と倒伏位置との間で回転自在で、前記起立位置にあるときに前記第１コネクタに接続された前記第１タイプの携帯端末の背面を受け止めるストッパを備えることを特徴とする請求項１ないし４いずれか１項に記載の携帯端末用接続トレイ装置。
【請求項６】
前記ストッパが前記起立位置にある状態で前記接続トレイが前記格納位置に向けて移動したときに、前記ストッパは前記本体ケースに当接して前記倒伏位置まで回転することを特徴とする請求項５に記載の携帯端末用接続トレイ装置。
【発明の詳細な説明】
【技術分野】
【０００１】
本発明は、電子機器の本体ケースから引出し可能な携帯端末用接続トレイ装置に関するものである。
【背景技術】
【０００２】
近年、携帯プレーヤや携帯電話などの携帯端末で音楽を楽しむことが一般的になっている。この携帯端末は、音楽を記録するメモリや、音楽を再生する再生部等がケース内に収納され、また、ケースの前面には、音楽再生に関する情報を表示するＬＣＤ（Ｌｉｑｕｉｄ  Ｃｒｙｓｔａｌ  Ｄｉｓｐｌａｙ）や、操作ボタン等が設けられている。操作ボタンを操作して所望の音楽を選択すると、その選択した音楽が再生され、イヤフォンやヘッドフォンで聞くことができる。
【０００３】
携帯端末は、屋外ではヘッドフォン等が用いられるが、自宅などの室内では、ＣＤプレーヤ等の電子機器に接続されて使用されることが多い。携帯端末から読み出した音楽データは、電子機器で信号処理されてからスピーカに送られ、迫力ある音量で音楽が再生される。
【０００４】
特許文献１記載のＶＴＲ装置では、ＶＴＲ装置（電子機器）の本体ケース内部に格納される格納位置と、本体ケースから引き出された引出し位置との間で移動自在な接続トレイ（扉部と称されている）を設け、この接続トレイにビデオカメラが接続されるコネクタを設けている。ビデオカメラを接続するときには、接続トレイを引出し位置まで引き出して、コネクタにビデオカメラを接続することで、ビデオカメラに装着されたビデオテープからＶＴＲ装置に装着されたビデオテープへのダビングを行うことができる。
【先行技術文献】
【特許文献】
【０００５】
【特許文献１】特開平０７−２８７９７２号公報
【発明の概要】
【発明が解決しようとする課題】
【０００６】
携帯端末は、定期的にモデルチェンジが行われて新製品が発売される。この新製品では、新しい規格のコネクタが採用されることがある。この新旧の両製品を使用可能にするには、２タイプのコネクタが必要となる。この場合に、変換アダプタを準備し、これを旧タイプのコネクタに接続し、これに新型の携帯端末を接続することが多い。しかし、変換アダプタを用いると、新型携帯端末では、変換アダプタの厚み分だけ高くなるので、電子機器をラックに載置して使用する場合に、ラックが邪魔となり、新型携帯端末の装着がしにくくなる。
【０００７】
そこで、接続トレイ上に、タイプが異なる複数のコネクタを並設し、各種の携帯端末を装着する方法が考えられる。この際に、各携帯端末を適切な位置で装着できるように、接続トレイの位置決め操作が確実に行われることが要請される。
【０００８】
本発明は、上記課題を解決するためになされたものであり、接続トレイの位置決め操作を確実に行うことができる携帯端末用接続トレイ装置を提供することを目的とする。
【課題を解決するための手段】
【０００９】
上記目的を達成するために、本発明の携帯端末用接続トレイ装置は、本体ケースに格納された格納位置から、本体ケースから引き出された第１引出し位置を経由して第２引出し位置への移動と、その逆方向への移動とが可能な接続トレイと、この接続トレイに取り付けられており、第１引出し位置で第１タイプの携帯端末が接続可能な第１コネクタと、接続トレイに取り付けられており、第２引出し位置で、第１タイプの携帯端末とは接続方式が異なる第２タイプの携帯端末が接続可能な第２コネクタと、第１及び第２引出し位置において、接続トレイをロックしてその移動を阻止するロック機構と、このロック機構のロックを解除して、接続トレイの移動を可能にするロック解除機構と、を備えている。
【００１０】
また、ロック機構は、ロックボスを有し、接続トレイに変位可能に取り付けられたロック板と、接続トレイが格納位置から第２引出し位置に移動するときに、ロックボスに当接してロック板を変位させるロックブラケットと、このロックブラケットに形成され、接続トレイが第１引出し位置まで移動したときに、ロックボスが挿入され、接続トレイを第１引出し位置でロックするロック凹部と、ロックブラケットに形成され、接続トレイが第２引出し位置まで移動したときに、ロックボスを受け止めて、接続トレイを第２引出し位置でロックするロック凸部と、を備えることが好ましい。
【００１１】
さらに、ロック解除機構は、接続トレイに設けられたロック解除ボタンと、ロック解除ボタンに連結され、ロック解除ボタンの操作に連動して移動し、移動によりロック板を変位させて、ロック機構のロックを解除する移動板と、を備えることが好ましい。
【００１２】
また、格納位置において、接続トレイのロック及びロック解除をする格納ロック機構を備えることが好ましい。
【００１３】
さらに、接続トレイに設けられ、第１コネクタの背後に起立する起立位置と倒伏位置との間で回転自在で、起立位置にあるときに第１コネクタに接続された第１タイプの携帯端末の背面を受け止めるストッパを備えることが好ましい。
【００１４】
また、ストッパが起立位置にある状態で接続トレイが格納位置に向けて移動したときに、ストッパは本体ケースに当接して倒伏位置まで回転することが好ましい。
【発明の効果】
【００１５】
本発明では、接続トレイの引出し中に、第１タイプの携帯端末が接続可能な第１引出し位置と、第２タイプの携帯端末が接続可能な第２引出し位置とに、それぞれロックするためのロック機構を設けたから、接続トレイの引出し位置の位置決めが簡単である。また、接続トレイが各引出し位置からみだりに動くのを阻止するから、接続トレイの移動により、携帯端末が本体ケースに衝突してコネクタ等を破損するおそれがない。
【図面の簡単な説明】
【００１６】
【図１】本発明の携帯端末用接続トレイ装置を備えたＣＤプレーヤを示す斜視図である。
【図２】接続トレイを第１引出し位置に引き出した状態のＣＤプレーヤを示す斜視図である。
【図３】接続トレイを第２引出し位置に引き出した状態のＣＤプレーヤを示す斜視図である。
【図４】接続トレイを引き出した状態の携帯端末用接続トレイ装置の一例を示す斜視図である。
【図５】接続トレイを上トレイと下トレイとに分解した状態の斜視図である。
【図６】下トレイの分解斜視図である。
【図７】第１タイプ携帯端末の装着状態を示す側面図である。
【図８】格納位置でのロックブラケットとロック板との関係を示す説明図である。
【図９】第１引出し位置の手前の状態を示す説明図である。
【図１０】第１引出し位置の状態を示す説明図である。
【図１１】第１引出し位置でのロックを解除した状態を示す説明図である。
【図１２】第２引出し位置の状態を示す説明図である。
【図１３】コネクタの切換回路を示す回路図である。
【図１４】接続トレイに第１タイプ携帯端末を装着した状態のＣＤプレーヤを示す斜視図である。
【図１５】接続トレイに第２タイプ携帯端末を装着した状態のＣＤプレーヤを示す斜視図である。
【図１６】回転自在な接続トレイを設けた実施形態のＣＤプレーヤを示す平面図である。
【図１７】接続トレイを第２引出し位置まで回転した状態のＣＤプレーヤを示す平面図である。
【発明を実施するための形態】
【００１７】
図１〜図３に示すように、ＣＤプレーヤ２は、箱形をした本体ケース３を備え、この中にＣＤプレーヤ回路７６（図１３参照）が収納されている。また、ＣＤプレーヤ２には、アンプを介してスピーカ（いずれも図示せず）が接続されており、迫力ある音量で音楽等が再生される。本体ケース３は、前側に取り付けられた前面パネル４を備える。
【００１８】
本体ケース３内には、ディスク装置５と、携帯端末用接続トレイ装置６とが設けられている。ディスク装置５のディスクトレイ５ａと、携帯端末用接続トレイ装置６の接続トレイ７とが、前面パネル４から引出し可能になっている。
【００１９】
前面パネル４には、電源ボタン１１、ディスクトレイ５ａを開閉するための開閉ボタン１２、再生ボタン１３、停止ボタン１４、セレクトボタン１５等の各種操作ボタンと、ＬＣＤ１６とが設けられている。セレクトボタン１５は、ＣＤの再生を行うか、接続トレイ７にセットされた携帯端末の再生を行うかを選択する。
【００２０】
ディスクトレイ５ａは、周知のようにＣＤを保持するものであり、本体ケース３内部に格納される格納位置と、本体ケース３から引き出された引出し位置との間で移動可能である。ディスクトレイ５ａは、モータ及びギア等を有する周知のトレイ移動機構により移動される。
【００２１】
本体ケース３の内のディスク装置５は、周知のように、ピックアップヘッドと、ＣＤを回転させるスピンドルモータ（いずれも図示せず）とを備える。ピックアップヘッドは、ＣＤの半径方向に移動可能に設けられ、ディスクトレイ５ａが格納位置にセットされているときに、スピンドルモータにより回転されるＣＤにアクセスする。
【００２２】
接続トレイ７は、図１に示す格納位置、図２に示す第１引出し位置、図３に示す第２引出し位置に移動する。接続トレイ７が第１引出し位置にセットされているときは、接続トレイ７上に設けた第１コネクタ２１に第１タイプ携帯端末３１が接続される。第２引出し位置にセットされているときには、接続トレイ７上の第２コネクタ２２に第２タイプ携帯端末３２が接続される。
【００２３】
この実施形態では、第１タイプ携帯端末３１は、ピン数が例えば８個の新型であり、第２タイプ携帯端末３２は、ピン数が例えば３０個の旧型である。
【００２４】
第１タイプ携帯端末３１は、前面にＬＣＤ３１ａと操作ボタン３１ｂとが設けられ、下面に第１コネクタ２１に接続される第１端末端子３１ｃが設けられている。第１タイプ携帯端末３１の内部には、制御部と、音楽データを書換可能に記録したメモリとが設けられている。同様に、第２タイプ携帯端末３２には、ＬＣＤ３２ａ、操作ボタン３２ｂ、第２コネクタ２２に接続される第２端末端子３２ｃ、制御部、音楽データを書換可能に記録したメモリが設けられている。
【００２５】
図４〜図７に示すように、携帯端末用接続トレイ装置６は、接続トレイ７と、接続トレイ７をスライド自在に保持するガイドユニット３４と、このガイドユニット３４の先端側に取り付けられたロックブラケット３５とを備えている。ガイドユニット３４は、上面が開口したチャンネル状をしており、本体ケース３内に固定されている。このガイドユニット３４の左右の内面には、接続トレイ７を移動可能に支持する一対のレール３４ａが設けられている。接続トレイ７は、このレール３４ａにより支持され、本体ケース３内部に格納される格納位置から、本体ケース３から引き出された第１引出し位置を経由して第２引出し位置への移動と、その逆方向への移動とが可能となる。
【００２６】
接続トレイ７は、上トレイ７ａと、下トレイ７ｂとから構成され、これらはビス（図示せず）により固定されている。上トレイ７ａの上トレイ本体３８の前面には、フロントベゼル３９が取り付けられている。上トレイ本体３８には、凹状の第１ドック４１と、第２ドック４２とが前後方向に並んで形成されている。第１ドック４１内には、８ピンの第１コネクタ２１が取り付けられている。第２ドック４２内には、３０ピンの第２コネクタ２２が取り付けられている。また、第１ドック４１の背後に、第１タイプ携帯端末３１を受け止めるストッパ４３が設けられている。第１ドック４１には凸部４１ａが形成され、この凸部４１ａは、水平方向に対して例えば１５°傾いている。第１コネクタ２１は、この凸部４１ａに取り付けられているため、第１コネクタ２１も垂直方向に対して後方に１５°傾いている。同様に、第２ドック４２の底面も、後方に１５°傾いているので、第２コネクタ２２も同じ角度だけ傾いている。
【００２７】
ストッパ４３は、第１タイプ携帯端末３１が倒れないように安定させるものであり、本体部４３ａと、軸部４３ｂとを備え、この軸部４３ｂを中心にして回転自在に上トレイ本体３８に取り付けられている。ストッパ４３は、第１コネクタ２１の背後で約８０°に起立して、第１タイプ携帯端末３１を受け止める起立位置（図２、図５、図７参照）と、倒伏位置（図３及び図４参照）との間で回転する。本体部４３ａには、倒伏位置に位置するときに、第１コネクタ２１との接触を防ぐための逃げ孔４３ｃと、第１タイプ携帯端末３１を受け止める凸部４３ｄとが形成されている。上トレイ本体３８には、ストッパ４３を倒伏位置から起立位置に向けて回転させるときに指を差し込むための凹部３８ａが形成されている。
【００２８】
第２ドック４２には、第２タイプ携帯端末３２下部の外周が嵌合するリング状のアダプタ４４が取り付けられている。このアダプタ４４は、第２タイプ携帯端末３２に傷が付かないように、軟質のプラスチックまたは硬質のゴムで作られている。
【００２９】
ガイドユニット３４には、接続トレイ７を格納位置でロックするための周知のプッシュロック機構４６が設けられている。下トレイ７ｂの下トレイ本体４７には、このプッシュロック機構４６によりロックされるロック爪４７ａが形成されている。プッシュロック機構４６は、接続トレイ７を格納位置へ押すとロックされ、そして、格納位置でロックされた接続トレイ７を少し押し込むと、ロックが解除される。
【００３０】
下トレイ本体４７には、引き出し方向に延びた切欠き４７ｂが形成されており、これを覆うようにカバー４７ｃが形成されている。このカバー４７ｃの端側にロック爪４７ａが形成されている。したがって、プッシュロック機構４６は、このカバー４７ｃ内に入り込んでロック爪４７ａを係止する。
【００３１】
上トレイ本体３８の後端部には、接続トレイ７をイジェクトするためのイジェクトシャフト４９が、前後方向に移動自在に設けられている。このイジェクトシャフト４９は、コイルバネ（図示せず）に挿通されている。接続トレイ７が格納位置に向けて移動すると、イジェクトシャフト４９の後端が本体ケース３の後側内壁に当接し、イジェクトシャフト４９は、コイルバネを圧縮しながら前方に移動する。これにより、接続トレイ７が格納位置でロックされると、コイルバネが蓄勢された状態となる。そして、接続トレイ７のロックが解除されると、コイルバネによってイジェクトシャフト４９が接続トレイ７を前方に押圧する。この押圧により、本実施形態では、接続トレイ７は、第１引出し位置（図２参照）の手前まで飛び出すことができる。
【００３２】
下トレイ本体４７には、ロック解除ボタン５１と、このロック解除ボタン５１に連結され、ロック解除ボタン５１の操作に連動して前後方向に移動する移動板５２と、この移動板５２に連動して変形しながら移動するロック板５３とが取り付けられている。ロック解除ボタン５１は、上トレイ本体３８に形成された開口から突出している。
【００３３】
移動板５２は、板状の本体部５２ａと、ロック解除ボタン５１が取り付けられる取付部５２ｂと、折り曲げ部５２ｃと、バネ掛け部５２ｄとが形成されている。本体部５２ａには、３個の長孔５２ｅが形成され、折り曲げ部５２ｃには、ピン５４が固定されている。バネ掛け部５２ｄと下トレイ本体４７との間には、コイルバネ５５が掛けられている。このコイルバネ５５により、移動板５２は後方に付勢されている。長孔５２ｅには、下トレイ本体４７に形成された円筒部４７ｄが挿通されている。この円筒部４７ｄの孔に、ワッシャ５６を介して固定されたネジ５７により、移動板５２は前後方向に移動自在に取り付けられている。
【００３４】
ロック板５３は、樹脂で成形されており、板状の本体部５３ａと、この本体部５３ａに連設され、先端にスリット５３ｂが形成されたＬ字状の位置決め板部５３ｃと、この位置決め板部５３ｃから延びる固定板部５３ｄとを備える。本体部５３ａは、上面の中央部に移動板５２のピン５４に当接する凸部５３ｅが形成され、後端部にロックボス５３ｆが形成され、凸部５３ｅとロックボス５３ｆとの間には、長孔５３ｇが形成されている。また、固定板部５３ｄには、位置決め孔５３ｈと挿通孔５３ｉとが形成され、位置決め板部５３ｃには、各孔５３ｈ，５３ｉを露呈するための開口５３ｊが形成されている。上トレイ本体３８には、ロックボス５３ｆが挿通される挿通孔３８ｂが形成されている。この挿通孔３８ｂは、ロックボス５３ｆが孔内で多少動けるように、ロックボス５３ｆよりも前後方向に長い。ロックボス５３ｆは、挿通孔３８ｂを挿通されて、上トレイ本体３８の上面から突出している。
【００３５】
下トレイ本体４７には、スリット５３ｂに挿入される凸部４７ｅと、位置決め孔５３ｈに挿入される位置決めボス４７ｆと、ロック板５３を受け止める円筒部４７ｇと、長孔５３ｇに挿通される円筒部４７ｈと、バネ用ボス４７ｉとが形成されている。位置決めボス４７ｆが位置決め孔５３ｈに挿入され、凸部４７ｅがスリット５３ｂに挿入された状態で、ネジ６２が挿通孔５３ｉを通して円筒部４７ｇの孔に固定されている。これにより、ロック板５３の固定板部５３ｄは下トレイ本体４７に固定されている。さらに、長孔５３ｇを挿通された円筒部４７ｈの孔に、ワッシャ６３を介してネジ６４が螺合されている。ロック板５３は、固定板部５３ｄが本体部５３ａに連結していないので、固定板部５３ｄよりも後側部分が変形可能となっている。バネ用ボス４７ｉには、コイルバネ６５が挿入されている。このコイルバネ６５により、ロック板５３は上方に付勢されている。
【００３６】
図８〜図１２に示すように、ガイドユニット３４に固定されたロックブラケット３５の内面には、接続トレイ７を移動したときにロックボス５３ｆが当接する第１テーパ面３５ａ、第２テーパ面３５ｂ、第３テーパ面３５ｃ、肩部３５ｄ、第４テーパ面３５ｅが形成されている。第２テーパ面３５ｂと第３テーパ面３５ｃとの間には、ロックボス５３ｆが挿入され、接続トレイ７を第１引出し位置でロックするロック凹部３５ｆが形成されている。なお、図８〜図１２では、上トレイ７ａ及びガイドユニット３４を省略し、ロックブラケット３５のみを断面図で示している。
【００３７】
ロックブラケット３５の前面には、ロックボス５３ｆを受け止めて、接続トレイ７を、第２引出し位置にロックするロック凸部３５ｇが形成されている。本実施形態では、接続トレイ７を第１及び第２引出し位置でロックするロック機構７０は、ロックボス５３ｆが形成されたロック板５３と、ロック凹部３５ｆ及びロック凸部３５ｇが形成されたロックブラケット３５とを有する。また、格納位置において接続トレイ７のロック及びロック解除をする格納ロック機構は、プッシュロック機構４６とロック爪４７ａとを有する。なお、格納位置でのロックをロック機構７０で行ってもよい。この場合には、ロックブラケット３５を後方へ延長し、格納位置でのロックに用いられるロック凹部を形成すればよい。
【００３８】
接続トレイ７が第２引出し位置にセットされている場合には、第１タイプ携帯端末３１と第２タイプ携帯端末３２との両方が、接続トレイ７に装着可能である。この場合には、後に装着された携帯端末が優先的にＣＤプレーヤ２に接続される。図１３は、このための切換え回路を示すものである。第１，第２コネクタ２１，２２は、セレクタ７４と接続検知部７５とに接続されている。この接続検知部７５は、第１，第２コネクタ２１，２２への第１，第２タイプ携帯端末３１，３２の接続状態を検知し、どちらが後に装着されたかを判定する。この判定により、後に装着されたコネクタを選択するための選択信号がセレクタ７４に送られる。このセレクタ７４は、第１，第２コネクタ２１，２２のうちの後に接続されたコネクタを選択し、そのコネクタからの音声データを、ＣＤプレーヤ回路７６に送る。
【００３９】
なお、例えばロックボス５３ｆでオンするマイクロスイッチを設け、このマイクロスイッチのオンから接続トレイ７が第２引出し位置にセットされたことを検知したときに、セレクタ７４を第１コネクタ２１から第２コネクタ２２に切り換えてもよい。
【００４０】
次に、上記実施形態の作用について、図１４及び図１５を参照して説明する。携帯端末に記録した音楽等を、ＣＤプレーヤ２を介して鑑賞する場合には、接続トレイ７に携帯端末を装着する。
【００４１】
例えば、新型の第１タイプ携帯端末３１を使用する場合は、接続トレイ７を第１引出し位置まで引き出すことが必要である。この場合に、先ず、接続トレイ７のフロントベゼル３９を手で軽く押す。このフロントベゼル３９が押されると、プッシュロック機構４６のロックが解除される。プッシュロック機構４６からロック爪４７ａがフリーになると、イジェクトシャフト４９は、蓄勢されたコイルバネの付勢により本体ケース３の後側内壁を押すから、図１及び図８に示す格納位置から、接続トレイ７は第１引出し位置の手前まで移動する。
【００４２】
第１引出し位置の手前まで移動された後、フロントベゼル３９を指でつまんで接続トレイ７を前方に移動する。この前方への移動により、図９に示すように、ロックボス５３ｆが、ロックブラケット３５の第１テーパ面３５ａ及び第２テーパ面３５ｂにより押される。ロック板５３は、位置決め板部５３ｃが多少変形しながら、本体部５３ａがコイルバネ６５の付勢に抗して下方に変位する。
【００４３】
図１０に示すように、ロックボス５３ｆがロックブラケット３５のロック凹部３５ｆに対面する位置まで接続トレイ７が移動されたときに、ロック板５３は、コイルバネ６５の付勢により、位置決め板部５３ｃが元の形状に戻るとともに、本体部５３ａが上方へ変位する。これにより、ロックボス５３ｆがロックブラケット３５のロック凹部３５ｆに挿入され、接続トレイ７は第１引出し位置でロックされる。
【００４４】
接続トレイ７が第１引出し位置でロックされた後に、ストッパ４３を手で起立位置まで回転する。そして、図１４に示すように、第１タイプ携帯端末３１の下端を第１ドック４１に挿入して、第１端末端子３１ｃを第１コネクタ２１に接続する。図７に示すように、第１コネクタ２１に接続された第１タイプ携帯端末３１は、その背面がストッパ４３で受け止められているので、前面の操作ボタン３１ｂを押圧操作してもグラつくことなく安定している。
【００４５】
第１タイプ携帯端末３１を接続トレイ７にセットしてから、セレクトボタン１５を操作して、再生モードを選択する。次に、第１タイプ携帯端末３１の操作ボタン３１ｂを操作して、第１タイプ携帯端末３１のメモリに記録された音楽データの中から１つを選択する。この選択された音楽データは、第１コネクタ２１、セレクタ７４、ＣＤプレーヤ回路７６に送られる。このＣＤプレーヤ回路７６で処理された音楽データは、アンプ（図示せず）を介してＣＤプレーヤ２に接続されたスピーカに送られ、スピーカから音楽が再生される。
【００４６】
第１タイプ携帯端末３１の使用を終了し、接続トレイ７を格納位置まで移動する場合には、第１タイプ携帯端末３１を第１コネクタ２１から抜き取り、ストッパ４３を倒伏位置まで回転する。そして、ロック解除ボタン５１を前方に押す。図１１に示すように、ロック解除ボタン５１が前方に押されると、これに連動して移動板５２も前方に移動し、移動板５２のピン５４により押されてロック板５３が変位する。これにより、ロックボス５３ｆがロック凹部３５ｆから抜け出るので、接続トレイ７の第１引出し位置でのロックが解除される。
【００４７】
第１引出し位置でのロックが解除された後、フロントベゼル３９を押圧して接続トレイ７を格納位置まで移動する。接続トレイ７を格納位置まで移動すると、下トレイ７ｂのロック爪４７ａが、プッシュロック機構４６によりロックされ、接続トレイ７は格納位置でロックされる。
【００４８】
ストッパ４３を起立位置に位置させたままで、接続トレイ７を格納位置に向けて移動した場合には、ストッパ４３の後面が前面パネル４の前面に当接して、ストッパ４３は倒伏位置まで回転する。これにより、ストッパ４３を閉じ忘れた場合でも、ストッパ４３や接続トレイ７が破損することがない。
【００４９】
旧型の第２タイプ携帯端末３２を接続トレイ７にセットする場合には、接続トレイ７を図１に示す格納位置から図３に示す第２引出し位置へ引き出すことが必要である。この場合には、前述した手順により、接続トレイ７を第１引出し位置に移動する。この第１引出し位置では、接続トレイ７がロックされるから、ロック解除ボタン５１を前方に引いてロックの解除操作をする。
【００５０】
ロック解除ボタン５１が前方に押されると、上述したように、接続トレイ７の第１引出し位置でのロックが解除される。次に、フロントベゼル３９を指でつまんで接続トレイ７を前方に移動する。接続トレイ７が第１引出し位置からさらに前方に移動すると、ロック板５３のロックボス５３ｆが、ロックブラケット３５の第３テーパ面３５ｃで押されながら移動し、肩部３５ｄに当たる。ここで接続トレイ７に負荷がかかるため、第２引出し位置に近づいたことが分かる。
【００５１】
更に、フロントベゼル３９をゆっくり引くと、ロックボス５３ｆが肩部３５ｄを乗り越えてから第４テーパ面３５ｅを通り、図１２に示すように、ロックブラケット３５から抜け出る。ロック板５３は、コイルバネ６５の付勢により先端側が元の形状に戻るとともに、ロックボス５３ｆが上方へ変位する。このロックボス５３ｆは、ロックブラケット３５のロック凸部３５ｇで受け止められるので、接続トレイ７は、第２引出し位置でロックされる。なお、接続トレイ７の前方の移動が阻止されるようにストッパ（図示せず）で、接続トレイ７を係止すれば、前方の移動が規制される。また、ロック解除ボタン５１を前方に押したままの状態で、接続トレイ７を引き出せば、第１引出し位置でのロック及びロック解除を行わずに、格納位置から第２引出し位置まで一気に引き出すことができる。
【００５２】
接続トレイ７が第２引出し位置でロックされた後、図１５に示すように、第２タイプ携帯端末３２の下端を第２ドック４２に挿入して、第２端末端子３２ｃを第２コネクタ２２に接続する。そして、第２タイプ携帯端末３２を再生すると、音楽データは、第２コネクタ２２、セレクタ７４、ＣＤプレーヤ回路７６、アンプ（図示せず）を介してスピーカに送られ、スピーカから音楽が再生される。
【００５３】
第２引出し位置では、第２タイプ携帯端末３２の他に、第１タイプ携帯端末３１も装着することができる。この場合に、例えば、第１タイプ携帯端末３１の装着後に、第２タイプ携帯端末３２が接続されると、この接続状態を示す信号が接続検知部７５に送られる。この信号により、接続検知部７５は、第２コネクタ２２が第１コネクタ２１の後に接続されたと判断する。この判断に基づいて、接続検知部７５は、後に装着された第２コネクタ２２を選択するための選択信号をセレクタ７４に送る。この選択信号により、セレクタ７４は、第１タイプ携帯端末３１とＣＤプレーヤ回路７６との接続を解除し、代わりに、第２タイプ携帯端末３２をＣＤプレーヤ回路７６に接続する。
【００５４】
第２タイプ携帯端末３２だけが装着された状態で、その使用を終了する場合には、接続トレイ７を格納位置まで移動し、第２タイプ携帯端末３２を第２コネクタ２２から抜き取る。次に、ロック解除ボタン５１を前方に押すと、移動板５２のピン５４によりロック板５３が変位して、ロックボス５３ｆがロック凸部３５ｇから抜け出る。これにより、接続トレイ７の第２引出し位置でのロックが解除される。第２引出し位置でのロックが解除された後、フロントベゼル３９を押圧して接続トレイ７を後方に移動する。
【００５５】
接続トレイ７は、第２引出し位置から後方に移動すると、ロック板５３のロックボス５３ｆが、ロックブラケット３５のロック凹部３５ｆに挿入され、第１引出し位置でロックされる。上記したように、接続トレイ７の第１引出し位置でのロックを解除した後、接続トレイ７を格納位置まで移動する。なお、ロック解除ボタン５１を前方に押したままの状態を保つことで、接続トレイ７を第２引出し位置から格納位置まで一気に移動することができる。
【００５６】
接続トレイ７を第１引出し位置及び第２引出し位置から格納位置に向けて移動する場合には、ロック解除ボタン５１を操作してロックを解除する必要があり、この操作をしない限りは、接続トレイ７を移動することができない。したがって、第１，第２コネクタ２１，２２に第１，第２タイプ携帯端末３１，３２を接続したままの状態で誤って接続トレイ７を移動させようとしたときにも、第１，第２コネクタ２１，２２や第１，第２タイプ携帯端末３１，３２が破損することがない。
【００５７】
一方、ＣＤを再生する場合には、セレクトボタン１５を操作して、ＣＤの再生を選択した後、開閉ボタン１２を操作して、ディスクトレイ５ａを引出し位置まで移動し、ＣＤを載せる。そして、開閉ボタン１２を操作してディスクトレイ５ａを格納位置まで移動すると、周知のようにＣＤはスピンドルモータとクランパとの間に挟持される。再生ボタン１３を操作すると、スピンドルモータの回転によりＣＤが回転し、ピックアップヘッドは、回転中のＣＤにアクセスしてＣＤのデータを再生する。
【００５８】
また、図１６及び図１７に示すように、ＣＤプレーヤ１００に、格納位置と、第１引出し位置（図１６参照）を経由した第２引出し位置（図１７参照）との間で回転自在な接続トレイ１０１を設けてもよい。この接続トレイ１０１には、第１及び第２タイプ携帯端末３１，３２が接続可能な第１コネクタ１１１及び第２コネクタ１１２が取り付けられている。この実施形態でも、上記実施形態と同様に、接続トレイ１０１を、第１及び第２引出し位置においてロックするロック機構と、ロックを解除するロック解除機構とを設ける。なお、図１６及び図１７では、ストッパの図示を省略している。
【００５９】
なお、上記実施形態では、ロック板の変形により、接続トレイのロック及びロック解除を行っているが、ロック板の先端側を回転可能に取り付けてもよい。さらには、ロック板は、上下方向に移動自在、または揺動自在にしてもよい。
【００６０】
また、上記実施形態では、接続トレイに２個のコネクタを設けているが、３個以上のコネクタを設けてもよい。この場合には、コネクタの個数に応じた引出し位置でロックする。また、いずれのコネクタを有効化するかを手動で選択するセレクトボタンを設けてもよい。
【００６１】
さらに、上記実施形態では、８ピンのコネクタと３０ピンのコネクタを設けているが、ピンの本数ではなく、接続端子の構造が異なった携帯端末の接続にも、本発明は利用できる。
【００６２】
また、上記実施形態では、２個のコネクタのうちの１個のコネクタの後ろにストッパを配しているが、両方のコネクタの後ろにストッパを配してもよい。
【００６３】
さらに、上記実施形態では、携帯端末用接続トレイ装置を備えたＣＤプレーヤにおいて携帯端末に記録された音楽データを再生しているが、携帯端末用接続トレイ装置を備えたＤＶＤ（ＢＤ）プレーヤでは、携帯端末に記録された音楽データだけでなく、動画データを再生してもよい。この場合には、携帯端末に記録された動画データは、コネクタ、ＤＶＤ（ＢＤ）の制御部を介して、ＤＶＤ（ＢＤ）に接続されたディスプレイに送られて表示される。
【符号の説明】
【００６４】
２  ＣＤプレーヤ
３  本体ケース
６  携帯端末用接続トレイ装置
７  接続トレイ
２１，２２  第１，第２コネクタ
３１，３２  第１，第２タイプ携帯端末
３５  ロックブラケット
３５ｆ  ロック凹部
３５ｇ  ロック凸部
４３  ストッパ
５１  ロック解除ボタン
５２  移動板
５３  ロック板
５３ｆ  ロックボス
【図１】
2015069682.tif 000003
【図２】
2015069682.tif 000004
【図３】
2015069682.tif 000005
【図４】
2015069682.tif 000006
【図５】
2015069682.tif 000007
【図６】
2015069682.tif 000008
【図７】
2015069682.tif 000009
【図８】
2015069682.tif 000010
【図９】
2015069682.tif 000011
【図１０】
2015069682.tif 000012
【図１１】
2015069682.tif 000013
【図１２】
2015069682.tif 000014
【図１３】
2015069682.tif 000015
【図１４】
2015069682.tif 000016
【図１５】
2015069682.tif 000017
【図１６】
2015069682.tif 000018
【図１７】
2015069682.tif 000019